(57)【要約】      （修正有）【課題】個人のプライバシー遺失を効果的に予防する入力方法を提供する。【解決手段】一種の守秘性を有する入力方法であって、主に１つの着用型ディスプレイが当該着用型ディスプレイの１つの表示境界内に位置する１つのタッチパネルを検知した時、当該着用型ディスプレイの１つの処理ユニットが当該表示境界内に位置する当該タッチパネルを１つの操作区域と定義し、当該タッチパネルを有す１つの装置とオンライン通信を行う。そして当該装置が１つの暗号化信号を当該処理ユニットに送信した後、当該処理ユニットは当該着用型ディスプレイを制御し、当該着用型ディスプレイを通じて当該操作区域に１つの操作映像を表示する。着用型ディスプレイを着用している着用者は当該操作区域に表示された操作映像を見て、当該映像に対応する当該タッチパネルに対して１つの個人情報及び個人信用証明を入力する。【選択図】図２
2016143421.tif 000002
【特許請求の範囲】
【請求項１】
一種の守秘性を有する入力方法であって、
（１）１つの着用型ディスプレイ及び１つのタッチパネルを有す１つの装置を提供し、
（２）当該着用型ディスプレイが当該着用型ディスプレイの１つの表示境界内にある当該タッチパネルの相対位置を確認し、
（３）当該着用型ディスプレイの１つの処理ユニットが当該表示境界内に位置する当該タッチパネルを１つの操作区域と定義し、
（４）当該処理ユニットは当該装置とオンラインで結ばれており、
（５）当該装置が１つの暗号化信号を当該処理ユニットに送信して、
（６）当該処理ユニットが当該着用型ディスプレイを制御し、当該着用型ディスプレイが当該操作区域に１つの操作映像を表示し、
（７）当該タッチパネルにタッチすることで１つの指令を当該装置に入力する、
一種の守秘性を有する入力方法。
【請求項２】
当該処理ユニットと当該装置の通信接続は有線或いは無線の通信方式であることを特徴とする、請求項１に記載の守秘性を有する入力方法。
【請求項３】
前記無線通信方式はＷｉ−Ｆｉ（登録商標）、ブルートゥース（登録商標）、赤外線、ＲＦＩＤ、ＵＳＢ、セル、３Ｇ、４Ｇ、或いはその他無線通信方式であることを特徴とする、請求項２に記載の守秘性を有する入力方法。
【請求項４】
当該着用型ディスプレイは１つの検知装置を通じて当該表示境界内の当該タッチパネルの相対位置を検知することを特徴とする、請求項１に記載の守秘性を有する入力方法。
【請求項５】
当該検知装置は１つの撮影機であることを特徴とする、請求項４に記載の守秘性を有する入力方法。
【請求項６】
当該操作映像は当該装置の１つの応用プログラムがランダムに生成した１つの第１キーボード映像であることを特徴とする、請求項１に記載の守秘性を有する入力方法。
【請求項７】
当該第１キーボード映像の各ボタンキーは１つのボタンキーマトリクスに配列し、且つ当該ボタンキーマトリクスは任意の数列及び任意の数行であることを特徴とする、請求項６に記載の守秘性を有する入力方法。
【請求項８】
当該第１キーボード映像の各ボタンキー座標位置は当該装置の１つのメモリ内に保存され、且つ当該第１キーボード映像の座標位置定義は当該タッチパネルの座標位置定義と同じであることを特徴とする、請求項７に記載の守秘性を有する入力方法。
【請求項９】
当該ボタンキーマトリクスの元素は下記グループの任意の１つ或いは組み合わせ：数字、アルファベット、中国語発音記号、符号、及び基本操作ボタンキーモジュールより選択することを特徴とする、請求項８に記載の守秘性を有する入力方法。
【請求項１０】
当該基本操作ボタンキーモジュールには確認、取消、戻る、更正、及び方向ボタンキーが含まれることを特徴とする、請求項９に記載の守秘性を有する入力方法。
【請求項１１】
ボタンキーマトリクスの１つ或いは複数の位置には使用に提供する定義元素がないことを特徴とする、請求項９に記載の守秘性を有する入力方法。
【請求項１２】
当該ボタンキーマトリクス内の１つ或いは複数個の元素は当該ボタンキーマトリクス内に重複出現することを特徴とする、請求項９に記載の守秘性を有する入力方法。
【請求項１３】
当該タッチパネルが１つの切り替え手動作を読み取った後、当該装置が別途１つの暗号化信号を当該処理ユニットに送信し、当該着用型ディスプレイが当該操作区域に当該応用プログラムがランダムに生成した１つの第２キーボード映像を表示することを特徴とする、請求項９に記載の守秘性を有する入力方法。
【発明の詳細な説明】
【技術分野】
【０００１】
本発明は、一種の入力方法に関し、特に個人情報のプライバシー遺失を効果的に予防する一種の守秘性を有する入力方法に関する。
【背景技術】
【０００２】
現在、最も常用されている情報の保護方法は、パソコンや銀行通帳などに採用されているパスワードによる保護形式で、データや情報のアクセスは通常身分認証のパスワードを通じて授権される。
パスワードは常に、財務情報、保健情報、保険情報、電子メール、計算システム等個人情報のアクセスに使用されているが、ある情況の下で、パスワードの入力、表示、及び処理手順に安全上の落とし穴が存在していて、パスワードの安全性侵害は個人情報のプライバシー遺失、医療情報遺失、財務情報遺失、及び身分盗用等の被害を引き起こす。
【０００３】
例を挙げると、使用者が銀行のカウンター或いは現金自動預け払い機で預け払い業務を処理する場合、いずれも銀行が設置したパスワードキーボードに自分のパスワードを入力しなければならない。
第１図に示すのは銀行で常用されているパスワードキーボード１´であるが、それはパソコンのキーボードの右側にあるテンキーに類似しており、パスワードキーボード１´には０〜９の１０個の固定数字ボタンキーと１つの確認ボタンキーと１つの取消ボタンキーがある。この種類のキーボードの最大の欠点は、この０〜９の１０個の数字ボタンキーの数字配列順序が固定していることである。このため、盗み見る者は使用者のボタンを押した順序を記憶することで、パスワードキーボードの数字の固定配列順序から使用者のパスワードを推測することができ、口座のパスワードが漏洩して、金銭の損失を招くことになる。
【０００４】
さらに、キーボードもパソコンで常に見かける入力設備であり、パソコンのメインフレームに接続して、使用者がボタンを押すことで文字列を入力している。しかし、一般のパソコンにはキーボードとメインフレームの間にハードディスクの安全防御メカニズムは設定されておらず、パソコンのオペレーティングシステムもキーボードのキーを押下して入力した信号に対して安全防護を行わない。従って、キーボード横で記録する技術を利用すれば容易にキーボードのキー押下の信号が取得でき、使用者も任意の異常を察知することができず、個人の口座番号とパスワードを盗まれても、全くわからない。このほか、無線ネットワークを使用して敏感な情報にアクセスする回数が増加するのに伴い、携帯型装置の簡単な操作によりパスワードの安全性が失われている。
【０００５】
上述の内容を総合すると、現在使い慣れているパスワード或いは信用証明の入力方法には多くの欠点或いは不足があることが分かる。
以上に鑑み、本案の発明者は研究発明を重ねて、本発明の一種の守秘性を有する入力方法を完成させた。
【発明の概要】
【発明が解決しようとする課題】
【０００６】
本発明の主な目的は、一種の守秘性を有する入力方法を提供することにある。
本発明の一種の守秘性を有する入力方法は、主に１つの着用型ディスプレイが当該着用型ディスプレイの１つの表示境界内に位置する１つのタッチパネルを検知した時、当該着用型ディスプレイの１つの処理ユニットが当該表示境界内に位置する当該タッチパネルを１つの操作区域と定義し、当該タッチパネルを有す１つの装置とオンライン通信を行う。そして当該装置が１つの暗号化信号を当該処理ユニットに送信した後、当該処理ユニットは当該着用型ディスプレイを制御し、当該着用型ディスプレイを通じて当該操作区域に１つの操作映像を表示するため、着用型ディスプレイを着用している着用者は当該操作区域に表示された操作映像を見て、当該映像に対応する当該タッチパネルに対して１つの個人情報及び個人信用証明を入力することができる。
【課題を解決するための手段】
【０００７】
上述の目的を達成するための本発明の守秘性を有する入力方法は、以下のとおりである。
【０００８】
（１）１つの着用型ディスプレイ及び１つのタッチパネルを有す１つの装置を提供する。
（２）当該着用型ディスプレイが当該着用型ディスプレイの１つの表示境界内にある当該タッチパネルの相対位置を確認する。
（３）当該着用型ディスプレイの１つの処理ユニットが当該表示境界内に位置する当該タッチパネルを１つの操作区域と定義する。
（４）当該処理ユニットは当該装置とオンラインで結ばれる。
（５）当該装置が１つの暗号化信号を当該処理ユニットに送信する。
（６）当該処理ユニットが当該着用型ディスプレイを制御し、当該着用型ディスプレイが当該操作区域に１つの操作映像を表示する。
（７）当該タッチパネルにタッチすることで１つの指令を当該装置に入力する。
【図面の簡単な説明】
【０００９】
【図１】使い慣れているパスワード入力キーボードの図である。
【図２】本発明の一種の守秘性を有する入力方法のフロー図である。
【図３】本発明の守秘性を有する入力方法の使用図である。
【図４Ａ】本発明の第１キーボード映像の実施様態図である。
【図４Ｂ】本発明の第１キーボード映像の実施様態図である。
【図４Ｃ】本発明の第１キーボード映像の実施様態図である。
【図４Ｄ】本発明のタッチパネル図である。
【図５】本発明の守秘性を有する入力方法をドアロックに使用した図である。
【図６】本発明の守秘性を有する入力方法をメインフレームに使用した図である。
【発明を実施するための形態】
【００１０】
本発明に係る一種の守秘性を有する入力方法について、以下図面と組み合わせて本発明の比較的良好な実施例を詳細に説明する。
【００１１】
図２は本発明の一種の守秘性を有する入力方法のフロー図である。
図２に示す通り、当該方法はまず手順（Ｓ０１）で、１つの着用型ディスプレイ１１及び１つのタッチパネル１２１を有する１つの装置を提供する。次に手順（Ｓ０２）で、当該着用型ディスプレイ１１が当該着用型ディスプレイ１１の１つの表示境界１１１内にある当該タッチパネル１２１の相対位置を確認する。手順（Ｓ０２）が完了した後、続けて手順（Ｓ０３）を執行し、当該着用型ディスプレイ１１の１つの処理ユニットが当該表示境界１１１内の当該タッチパネル１２１を１つの操作区域１１２と定義する。次に手順（Ｓ０４）で、当該処理ユニットは当該装置１２とオンライン接続する。さらに手順（Ｓ０５）で、当該装置１２は１つの暗号化された信号を当該処理ユニットに送信する。手順（Ｓ０５）が完了した後、当該方法は手順（Ｓ０６）を執行して、当該処理ユニットが当該着用型ディスプレイ１１を制御し、当該着用型ディスプレイ１１が当該操作区域１１２に１つの操作映像１３を表示する。最後に、手順（Ｓ０７）で、当該タッチパネル１２１より１つの指令を当該装置１２に入力する。
【００１２】
本発明の実施例において、当該着用型ディスプレイ１１は１つのメガネ、１つのゴーグル、１つの保護メガネ、或いは任意の１つの透明装置とすることができ、且つ当該着用型ディスプレイ１１は１つのマスク、帽子、或いは１つのヘルメットと組み合わせて着用者が着用することができる。
図３は本発明の守秘性を有する入力方法の使用図である。図３に示されている当該着用型ディスプレイ１１は１つのメガネで、着用者の頭部に着用し、着用者は各１つの目２を通じて当該着用型ディスプレイ１１を透視する。そのうち、着用者の眼前に見える実際直接の空間視野を実際直接視野２１と定義すると、実際直接視野２１は人間の目を使用して真実世界の物件を直接見る能力を指し、作った物件の画像表示を見るものではない。例えば、直接両目或いはメガネを通じて両目で見た部屋は着用者が部屋を見た実際直接視野であり、テレビを通じて見た部屋の録画は実際直接の部屋の視野ではない。
本発明の着用型ディスプレイ１１の中で、当該処理ユニットが表示ソフトウェアを執行した情景を根拠に、バーチャル物件の画像（時にはバーチャル画像或いは全体像とも呼ぶ）は当該着用型ディスプレイに投影でき、同時に当該着用者は当該着用型ディスプレイ１１を通じて真実世界の物件を検視する。
【００１３】
本発明の守秘性を有する入力方法のシステム構造を引き続き説明する。そのうち、当該処理ユニットの機能は当該着用型ディスプレイ１１のソフトウェアとハードウェアのモジュールに整合されている。このほか、別の１つの実施例では、当該処理ユニットは単独のユニットとして、着用者の身体、例えば腕に着用され、或いは単独の装置として、例えばモバイル装置（例えばスマートフォン）になる。
当該処理ユニットは有線或いは無線の通信方式で付近或いは遠距離位置の１つ或いは複数の当該装置１２とオンライン接続する。無線の通信方式はＷｉ−Ｆｉ（登録商標）、ブルートゥース（登録商標）、赤外線、ＲＦＩＤ、ＵＳＢ、セル、３Ｇ、４Ｇ、或いはその他無線通信方式とすることができる。
当該着用型ディスプレイ１１は１つの検知装置１４を通じて当該表示境界１１１内の当該タッチパネル１２１の相対位置を検知し、そのうち、当該検知装置１４は１つの撮影機である。
【００１４】
以上のように、本発明の守秘性を有する入力方法の主なフロー手順及びそのシステム構造を説明した。続いて図３を参照する。着用型ディスプレイ１１を着用した１人の着用者がその１つの目２で直接見た視野は実際直接視野２１であり、当該実際直接視野２１には当該着用型ディスプレイ１１で見た視野が含まれ、且つ当該着用型ディスプレイ１１が１つのメガネの場合、着用者がメガネのレンズを通して見る視野はすなわち表示境界１１である。
【００１５】
続いて、当該着用型ディスプレイ１１は１つの検知装置１４を通して表示境界１１１内にあるタッチパネル１２１を検知すると、当該処理ユニットは当該表示境界１１１に位置する当該タッチパネル１２１を１つの操作区域１１２と定義し、当該タッチパネル１２１を有す１つの装置１２とオンライン通信を行う。
当該装置１２が１つの暗号化信号を当該処理ユニットに送信した後、当該処理ユニットは当該着用型ディスプレイ１１を制御し、当該着用型ディスプレイ１１を通して当該操作区域１１２に１つの操作映像１３を表示する。このため、当該着用者は当該操作区域１１２条の当該操作映像１３を見ることができ、操作映像１２に対応する当該タッチパネル１２１に対して１つの指令を入力する。そのうち、当該操作映像１３は当該装置１２の１つの応用プログラムがランダムに生成する１つの第１キーボード映像であり、且つ当該指令には個人情報及び個人の安全信用証明（例：口座番号或いはパスワード）が含まれる。
【００１６】
次に当該第１キーボード映像の多種実施例を説明する。図４Ａ、４Ｂ、４Ｃは本発明の第１キーボード映像の異なる実施様態を示す図である。
図４Ａ、４Ｂ、４Ｃにおいて、当該第１キーボード映像の各ボタンキーは１つのボタンキーを配列したマトリクスで、且つ当該キーボードマトリックスは任意の数列及び任意の数行方法であり、そのうち当該第１キーボード映像上の各ボタンキーの座標位置は当該装置１２の１つのメモリ内に保存されており、且つ当該第１キーボード映像の座標位置定義は当該タッチパネル１２１の座標位置定義と同じである。
また、当該ボタンキーマトリクスの元素は下記グループの任意の１つ或いは複数の組み合わせ、数字、アルファベット、中国語発音記号、符号、及び基本操作のボタンキーモジュールから選択されている。そのうち、当該基本操作ボタンキーモジュールには確認、取消、戻る、更正、方向ボタンキーが含まれる。
【００１７】
図４Ａ、４Ｂ、４Ｃは当該第１キーボード映像を１つの５列３行（５×３）のマトリクスに配列した実施様態である。
図４Ａは当該ボタンキーマトリクスに０〜９の数字及び＃、＊の符号が含まれ、且つその配列は１つの乱数配列である。図４Ｂに示すボタンキーマトリクス内の１或いは複数位置には使用に提供する定義元素がない。図４Ｃ  に示すボタンキーマトリクス内の１或いは複数元素が当該ボタンキーマトリクス内に重複出現している。
このほか、仮に使用者が当該操作区域１２の当該第１キーボード映像を変更或いは入力するボタンキー文字を交換しようとする場合、当該タッチパネル１２１で一切の切り替え手動作を使用して切り替えでき、当該タッチパネル１２１が切り替え手動作を読み取った後、当該装置１２が別途１つの暗号化情報を当該処理ユニットに送信して、当該着用型ディスプレイ１１が当該操作区域１１２に当該応用プログラムでランダムに生成した１つの第２キーボード映像を表示する。そのうち、当該切り替え手動作は１〜５本指の任意の指或いは組み合わせを使用して当該タッチパネル１２１に対して上、下、左、右、斜め上、或いは斜め下に向けて短滑動、長滑動、連続クリック、或いは長く押し続ける等異なる手動作で切り替えが行える。
【００１８】
ここで補充説明しなければならないことは、本発明の着用型ディスプレイ１１を使用していない他の人が、着用者の傍らで着用者の当該タッチパネル１２１に対する入力を見たとしても、図４Ｄに示す任意の表示画面がない当該タッチパネル１２１を見るだけで、当該着用型ディスプレイ１１に表示する当該操作区域映像１３を見ることができず、また着用者が入力した個人情報及び個人安全信用証明を知ることができないことである。このようにして、本発明の守秘性を有する入力方法を使用した使用者は個人情報及び個人安全信用証明の漏洩を効果的に防止することができる。
【００１９】
さらに図５は本発明の守秘性を有する入力方法をドアロックに使用した実施例を示す図である。
図５は本発明のタッチパネル１２１を有す装置１２をドアロックのシステム装置とすることを示していて、当該着用型ディスプレイ１１を有す着用者は当該着用型ディスプレイ１１の１つのカメラレンズを通して当該タッチパネル１２１が当該表示境界１１１内にあるか否かを検知し、且つ当該着用型ディスプレイ１１の１つの処理ユニットが当該表示境界１１１内の当該タッチパネル１２１を１つの操作区域１１２と定義して、ドアロックのシステム装置とオンライン通信を行う。オンライン通信した後、ドアロックのシステム装置が１つの暗号化信号を当該処理ユニットに送信して、当該着用型ディスプレイ１１の当該操作区域１１２に操作映像１３を表示させる。当該着用者は当該操作区域１１２に表示された操作映像１３を見ることにより、当該操作映像１３に対応する当該タッチパネル１２１にドアオープンのパスワードを入力して、この暗号化されたドアロックを開錠する。
【００２０】
図６は本発明の守秘性を有する入力方法をメインフレームに使用した実施例を示す図である。
図６は本発明のタッチパネル１２１を有す装置１２を１つのメインフレーム或いは１つのサーバーとすることを示していて、当該着用型ディスプレイ１１を有す着用者は当該着用型ディスプレイ１１のカメラレンズを通して当該タッチパネル１２１が当該表示境界１１１内にあるか否かを検知し、且つ当該着用型ディスプレイ１１の１つの処理ユニットが当該表示境界１１１内の当該タッチパネル１２１を１つの操作区域１１２と定義して、ドアロックのシステム装置とオンライン通信を行う。オンライン通信した後、ドアロックのシステム装置が１つの暗号化信号を当該処理ユニットに送信して、当該着用型ディスプレイ１１の当該操作区域１１２に操作映像１３を表示させる。当該着用者は当該操作区域１１２に表示された操作映像１３を見ることにより、当該操作映像１３に対応する当該タッチパネル１２１に機器立ち上げパスワード或いは機器立ち上げ指令を入力して、当該メインフレーム或いはサーバーを立ち上げる。
【００２１】
以上、本発明の一種の守秘性を有する入力方法を完全かつ明確に説明した。以上の説明で、本発明に下記のメリットがあることがわかる。
【００２２】
１．本発明の守秘性を有する入力方法は１つの着用型ディスプレイ１１を通して当該着用型ディスプレイ１１の１つの表示境界１１１内にある１つのタッチパネル１２１を検知した時、当該着用型ディスプレイ１１の１つの処理ユニットが当該表示境界１１１内の当該タッチパネル１２１を１つの操作区域１１２と定義し、且つ当該タッチパネル１２１を有す１つの装置１２とオンライン通信を行う。当該装置１２が１つの暗号化信号を当該処理ユニットに送信した後、当該処理ユニットは当該着用型ディスプレイ１１を制御して当該操作区域１１２に操作映像１３を表示し、当該着用型ディスプレイ１１を着用した着用者は当該操作区域１１２にある当該操作映像１３を見て、当該操作映像１３に対応する当該タッチパネル１２１に対して１つの個人情報及び個人安全信用証明を入力できる。
【００２３】
２．１．より、本発明の着用型ディスプレイ１１を使用していない他の人が、傍らで着用者の当該タッチパネル１２１に対する入力を見たとしても、任意の表示画面がない当該タッチパネル１２１を見るだけで、当該着用型ディスプレイ１１に表示する当該操作区域映像１３を見ることができず、また着用者が入力した個人情報及び個人安全信用証明を知ることができない。このようにして、本発明の守秘性を有する入力方法を使用した使用者は、個人情報及び個人安全信用証明の漏洩を効果的に防止することができる。
【００２４】
上述の詳細な説明は本発明の実行可能な実施例に対する具体的な説明であるが、当該実施例は本発明の特許範囲を制限するものでなはい。本発明の技術精神を離脱せずに行う同等効果の実施或いは変更はいずれも本案の特許範囲に含まれる。
【符号の説明】
【００２５】
１１    着用型ディスプレイ
１１１  表示境界
１１２  操作区域
１２    装置
１２１  タッチパネル
１３    検知装置
２      各１つの目
２１    実際直接視野
【図１】
2016143421.tif 000003
【図２】
2016143421.tif 000004
【図３】
2016143421.tif 000005
【図４Ａ】
2016143421.tif 000006
【図４Ｂ】
2016143421.tif 000007
【図４Ｃ】
2016143421.tif 000008
【図５】
2016143421.tif 000009
【図４Ｄ】
2016143421.tif 000010
【図６】
2016143421.tif 000011